(57)【要約】【課題】靴を履いた状態で靴及び靴の着用者の下腿部を容易に覆って絶縁性を確保することができる靴カバーを提供すること。【解決手段】靴としての安全靴１を履いた状態で安全靴１及び安全靴１の着用者の下腿部５を覆う靴カバー１０であって、安全靴１を挿抜可能な第１開口部２２を有し安全靴１を覆う第１カバー部２０と、第１開口部２２の周縁部から上方に向けて筒状に延び、安全靴１及び下腿部５を挿抜可能な第２開口部３１を上端部に有し下腿部５を覆う第２カバー部３０と、第２カバー部３０の側部に設けられると共に第２開口部３１から下方に延び、第２カバー部３０の側部を開閉する開閉部材としての線ファスナー４０と、を備え、第１カバー部２０及び第２カバー部３０は、電気絶縁性を有し、線ファスナー４０は、電気絶縁性を確保可能に構成される。【選択図】図１
2011067490.tif 000002
【特許請求の範囲】
【請求項１】
靴を履いた状態で該靴及び該靴の着用者の下腿部を覆う靴カバーであって、
前記靴を挿抜可能な第１開口部を有し該靴を覆う第１カバー部と、
前記第１開口部の周縁部から上方に向けて筒状に延び、前記靴及び前記下腿部を挿抜可能な第２開口部を上端部に有し該下腿部を覆う第２カバー部と、
前記第２カバー部の側部に設けられると共に前記第２開口部から下方に延び、該第２カバー部の側部を開閉する開閉部材と、
を備え、
前記第１カバー部及び前記第２カバー部は、電気絶縁性を有し、
前記開閉部材は、電気絶縁性を確保可能に構成されることを特徴とする靴カバー。
【請求項２】
前記第１カバー部の側面部であり、かつ、前記下腿部の内踝側に位置する第１内側面部は、該第１カバー部における該第１内側面部以外の部分よりも硬く形成され、
前記第２カバー部の側面部であり、かつ、前記下腿部の内踝側に位置する第２内側面部は、該第２カバー部における該第２内側面部以外の部分よりも硬く形成されることを特徴とする請求項１に記載の靴カバー。
【請求項３】
前記第２カバー部は、絶縁性を有し前記開閉部材を覆う開閉部材カバー部を備えることを特徴とする請求項１又は２に記載の靴カバー。
【請求項４】
前記第１カバー部は、前記靴の踵部が係合可能な凹部を有することを特徴とする請求項１から３のいずれか一つに記載の靴カバー。
【請求項５】
前記第２カバー部は、前記着用者の前記下腿部と共に大腿部を覆うように構成されることを特徴とする請求項１から４のいずれか一つに記載の靴カバー。
【発明の詳細な説明】
【技術分野】
【０００１】
本発明は、靴を履いた状態で靴及び靴の着用者の下腿部を覆うことができる靴カバーに関する。
【背景技術】
【０００２】
従来より、作業員は、外力による足へのダメージを防止するために、作業中に安全靴を着用することが多い。また、作業員は、例えば、電柱上で高圧活線作業等を行う場合には、感電防止のために、絶縁手袋、活線着、ゴム長靴等の高圧絶縁用の装備を着用している。
【０００３】
従って、作業員が、感電の虞のない作業から、感電の虞のある高圧活線作業等を行う場合には、履いていた安全靴を脱ぎ、ゴム長靴に履き替える必要があった。そのため、履き替えに時間や労力を要し、作業能率が低下するという問題があった。
【０００４】
ところで、安全靴の機能を有するゴム長靴が提供されている（例えば、特許文献１参照）。特許文献１に記載のゴム長靴は、鋼製の先芯が入ったゴム長靴の甲部に、甲プロテクターを取り付けたものである。このゴム長靴に、高圧活線作業等に対応可能な絶縁性を備えさせることにより、前記のような靴の履き替えを不要にすることも可能である。
【先行技術文献】
【特許文献】
【０００５】
【特許文献１】実開平６−３８６１０号公報
【発明の概要】
【発明が解決しようとする課題】
【０００６】
しかしながら、一般に、ゴム長靴は通気性が悪く、ゴム長靴を長時間履いていると、足や下腿部が蒸れるため、作業員は、不快感を感じ、作業能率が低下し易い。そのため、ゴム長靴を履いて感電の虞のない作業をすることは、却って作業能率を低下させることになる。結局、必要に応じてその都度、安全靴からゴム長靴に履き替える方が、作業全体として作業能率の低下が少ないと考えられる。
従って、安全靴等の靴を履いた状態で、この安全靴等の靴及び作業員の下腿部の絶縁性を確保できる手段が望まれていた。
【０００７】
本発明は、上記に鑑みてなされたものであって、靴を履いた状態で靴及び靴の着用者の下腿部を容易に覆って絶縁性を確保することができる靴カバーを提供することを目的とする。
【課題を解決するための手段】
【０００８】
本発明は、靴を履いた状態で該靴及び該靴の着用者の下腿部を覆う靴カバーであって、前記靴を挿抜可能な第１開口部を有し該靴を覆う第１カバー部と、前記第１開口部の周縁部から上方に向けて筒状に延び、前記靴及び前記下腿部を挿抜可能な第２開口部を上端部に有し該下腿部を覆う第２カバー部と、前記第２カバー部の側部に設けられると共に前記第２開口部から下方に延び、該第２カバー部の側部を開閉する開閉部材と、を備え、前記第１カバー部及び前記第２カバー部は、電気絶縁性を有し、前記開閉部材は、電気絶縁性を確保可能に構成される。
【０００９】
また、本発明は、前記第１カバー部の側面部であり、かつ、前記下腿部の内踝側に位置する第１内側面部は、該第１カバー部における該第１内側面部以外の部分よりも硬く形成され、前記第２カバー部の側面部であり、かつ、前記下腿部の内踝側に位置する第２内側面部は、該第２カバー部における該第２内側面部以外の部分よりも硬く形成されることが好ましい。
【００１０】
また、本発明は、前記第２カバー部は、絶縁性を有し前記開閉部材を覆う開閉部材カバー部を備えることが好ましい。
【００１１】
また、本発明は、前記第１カバー部は、前記靴の踵部が係合可能な凹部を有することが好ましい。
【００１２】
また、本発明は、前記第２カバー部は、前記着用者の前記下腿部と共に大腿部を覆うように構成されることが好ましい。
【発明の効果】
【００１３】
本発明によれば、靴を履いた状態で靴及び靴の着用者の下腿部を容易に覆って絶縁性を確保することができる靴カバーを提供することができる。
【図面の簡単な説明】
【００１４】
【図１】本発明の第１実施形態の靴カバー１０を示す側面図である。
【図２】線ファスナーカバー部４２が閉じている状態の靴カバー１０を示す側面図である。
【図３】靴カバー１０を示す平面図である。
【図４】（ａ）から（ｄ）は、靴カバー１０を着用する過程を示す説明図である。
【図５】本発明の第２実施形態の靴カバー５０を示す側面図である。
【発明を実施するための形態】
【００１５】
〔第１実施形態〕
以下に、本発明の第１実施形態について図面を参照しながら説明する。図１は、本発明の第１実施形態の靴カバー１０を示す側面図であり、線ファスナーカバー部４２が開いている状態を示している。図２は、線ファスナーカバー部４２が閉じている状態の靴カバー１０を示す側面図である。図３は、靴カバー１０を示す平面図である。図４（ａ）から（ｄ）は、靴カバー１０を着用する過程を示す説明図である。
【００１６】
先ず、本発明の第１実施形態の靴カバー１０と組み合わせて使用される靴としての安全靴１について、図１を参照しながら説明する。図１に示すように、安全靴１は、長靴状に構成されている。つまり、安全靴１は、足覆部２と筒状部３とを主体として構成されている。
【００１７】
足覆部２は、安全靴１の着用者（以下、単に「着用者」と称する）の足部（図示せず）を覆うように袋状に構成されている。「足部」とは、着用者の踝（図示せず）から爪先（図示せず）までの部分をいう。足覆部２は、先芯部２ａと表底部２ｂとを前記袋の一部分として有する。先芯部２ａは、安全靴１の爪先部分を構成し、着用者の爪先を防護する部分である。先芯部２ａは、例えば、皮革、合成樹脂、鉄等で構成されている。表底部２ｂは、安全靴１の底部の外表面を構成し、地面等に対して滑り止め機能を有する。表底部２ｂの後部（図１における右側）には、踵部４が下方に突出して設けられている。
【００１８】
筒状部３は、足覆部２から上方に筒状に延び、着用者の下腿部５の下方部分（足首の近傍部分）を覆うように構成されている。「下腿部」とは、着用者の膝から踝までの部分をいう。なお、安全靴１は、着用者の踝（図示せず）よりも下方までを覆う短靴として構成されていてもよい。
【００１９】
次に、本発明の第１実施形態の靴カバー１０について図１から図３を参照しながら説明する。
図１から図３に示すように、靴カバー１０は、安全靴１を履いた状態で安全靴１及び着用者の下腿部５を覆うものである。靴カバー１０は、安全靴１を覆う第１カバー部２０と、着用者の下腿部５を覆う第２カバー部３０と、開閉部材としての線ファスナー４０と、線ファスナー４０を覆う開閉部材カバー部としての線ファスナーカバー部４２と、１対の面ファスナー４５ａ，４５ｂと、を備える。
【００２０】
図１から図３に示すように、第１カバー部２０は、安全靴１の足覆部２を覆うことができる構成となっている。つまり、第１カバー部２０は、図１に示すように、袋状に構成されている。第１カバー部２０は、その内部に、安全靴１の足覆部２を挿入し配置することができる空間２１を有する。第１カバー部２０は、この空間２１の上部に連通し足覆部２を空間２１に対して挿抜可能な第１開口部２２を有する。第１開口部２２は、図３に示すように、平面視において略楕円状の開口となっている。
【００２１】
また、第１カバー部２０は、安全靴１の足覆部２と略同様の外形形状を有する。第１カバー部２０は、電気絶縁性を有する。第１カバー部２０は、例えば、電気絶縁性を有するゴムや樹脂等により構成されている。
【００２２】
第１カバー部２０は、その内部の底部に、安全靴１の踵部４が係合可能な凹部２４を有する。凹部２４は、図３に示すように、平面視において例えば、安全靴１の踵部４の底面形状に略合致する半楕円形状となっている。
【００２３】
図３に示すように、第１カバー部２０は、第１内側面部２０ａを有する。第１内側面部２０ａは、第１カバー部２０の側面部であり、かつ、着用者の下腿部５の内踝（図示せず）側の部分である。第１内側面部２０ａは、第１カバー部２０における第１内側面部２０ａ以外の部分よりも硬く形成されている。例えば、第１内側面部２０ａは、電気絶縁性を有する硬質のゴムや樹脂等によって形成される。
【００２４】
また、第１カバー部２０の底部も電気絶縁性を有する硬質のゴムや樹脂等によって形成される。第１カバー部２０の底部の外表面は、地面等に対して滑り止め機能を有する。
【００２５】
図１から図３に示すように、第２カバー部３０は、安全靴１の筒状部３及び着用者の下腿部５を覆うことができる構成となっている。第２カバー部３０は、第１カバー部２０と一体となっており、第１開口部２２の周縁部から上方に向けて筒状に延びている。
【００２６】
第２カバー部３０は、上端部に、安全靴１及び着用者の下腿部５を挿抜可能な第２開口部３１を有する。つまり、第２開口部３１は、着用者が安全靴１を履いた状態で、安全靴１及び下腿部５を挿抜可能に構成されている。第２開口部３１は、図３に示すように、平面視において例えば、略楕円状の開口となっている。
【００２７】
第２カバー部３０は、電気絶縁性を有する。第２カバー部３０は、例えば、電気絶縁性を有するゴムや樹脂等により構成されている。
【００２８】
第２カバー部３０は、第２開口部３１から第１開口部２２に亘って延びる切り込み部４１を有する。切り込み部４１は、第２カバー部３０の外側部（着用者の外踝側に位置する側部）に形成されている。切り込み部４１は、線ファスナー４０を有し、この線ファスナー４０によって開閉される。
【００２９】
図３に示すように、第２カバー部３０は、第２内側面部３０ａを有する。第２内側面部３０ａは、第２カバー部３０の側面部であり、かつ、着用者の下腿部５の内踝（図示せず）側の部分である。第２内側面部３０ａは、第２カバー部３０における第２内側面部３０ａ以外の部分よりも硬く形成されている。例えば、第２内側面部３０ａは、電気絶縁性を有する硬質のゴムや樹脂等によって形成される。
【００３０】
図１から図３に示すように、線ファスナー４０は、第２カバー部３０の外側部（切り込み部４１）に設けられると共に、第２開口部３１から下方に延びている。線ファスナー４０は、第２カバー部３０の切り込み部４１を開閉する。線ファスナー４０は、左右一対の務歯４０ａ，４０ａと、務歯４０ａに沿ってスライドすることにより、務歯４０ａ，４０ａ同士を係合し又はその係合を解除するスライダー４０ｂと、を有する。
線ファスナー４０は、電気絶縁性を有する合成樹脂（例えば、ポリエステル）等により構成されている。
【００３１】
線ファスナー４０は、スライダー４０ｂを下方から上方（第２開口部３１側）にスライドすることにより務歯４０ａ，４０ａ同士を係合し、第２カバー部３０の切り込み部４１を閉じる。また、線ファスナー４０は、スライダー４０ｂを上方（第２開口部３１側）から下方にスライドすることにより務歯４０ａ，４０ａ同士の係合を解除し、第２カバー部３０の切り込み部４１を開ける。
【００３２】
図１から図３に示すように、線ファスナーカバー部４２は、線ファスナー４０を被覆可能な矩形片状に構成されている。線ファスナーカバー部４２は、第２カバー部３０の外側部に第２カバー部３０と一体に設けられている。線ファスナーカバー部４２は、電気絶縁性を有する。線ファスナーカバー部４２は、例えば、電気絶縁性を有するゴムや樹脂等により構成されている。
【００３３】
図１から図３に示すように、１対の面ファスナー４５ａ，４５ｂは、線ファスナーカバー部４２を第２カバー部３０の外側部に着脱自在に固定する。１対の面ファスナー４５ａ，４５ｂは、フック部（図示せず）とループ部（図示せず）とが対をなして構成されている。１対の面ファスナー４５ａ，４５ｂは、両者を強く圧迫すると、フック部とループ部とが相互に外れにくいように係合する。また、１対の面ファスナー４５ａ，４５ｂは、フック部とループ部とを手で引き剥がすと、フック部とループ部との係合が外れるようになっている。
【００３４】
１対の面ファスナー４５ａ，４５ｂは、線ファスナーカバー部４２で線ファスナー４０を被覆したときに、互いに対向する位置に設けられている。つまり、面ファスナー４５ａは、第２カバー部３０の外面における線ファスナー４０の近傍に、線ファスナー４０と略平行となるように設けられている。また、面ファスナー４５ｂは、線ファスナーカバー部４２の内面（裏面）の後端縁部に設けられている。
【００３５】
次に、靴カバー１０の着用方法及び靴カバー１０の作用について図４を参照しながら説明する。図４（ａ）から（ｄ）は、靴カバー１０の着用方法を示す図である。図４（ａ）は、線ファスナー４０を開いて靴カバー１０を着用する前の状態を示す図である。図４（ｂ）は、靴カバー１０を着用して線ファスナー４０を閉じる前の状態を示す図である。図４（ｃ）は、靴カバー１０を着用して線ファスナー４０を閉じた後の状態を示す図である。図４（ｄ）は、線ファスナーカバー部４２で、閉じた後の線ファスナー４０を被覆した状態を示す図である。
【００３６】
図４（ａ）及び図４（ｂ）に示すように、着用者は、靴カバー１０の線ファスナー４０を開き、第２開口部３１を広げることができる。これにより、靴カバー１０の内部を容易に確認することができ、異物や傷等の有無を容易に確認することができる。
また、着用者が安全靴１を履いた状態で、安全靴１を第２開口部３１から靴カバー１０の内部に容易に挿入し、配置することができる。
【００３７】
また、図１及び図２に示すように、安全靴１を靴カバー１０の内部に挿入し、配置したときに、安全靴１の踵部４が靴カバー１０の凹部２４に係合する。これにより、踵部４が靴カバー１０の内部でずれにくくなり、安全靴１と靴カバー１０との一体性が確保される。
【００３８】
次に、図４（ｃ）に示すように、靴カバー１０の線ファスナー４０を閉じる。これにより、安全靴１及び下腿部５が靴カバー１０によって覆われるので、外部に露出しなくなり、絶縁性が確保される。
【００３９】
続いて、図４（ｄ）に示すように、線ファスナーカバー部４２の面ファスナー４５ｂと、第２カバー部３０の面ファスナー４５ａとを係合することにより、線ファスナーカバー部４２を第２カバー部３０の外側部に固定する。
【００４０】
これにより、線ファスナー４０は、線ファスナーカバー部４２によって覆われ、外部に露出しなくなる。そのため、線ファスナー４０が、破損等により開いたとしても、下腿部５は、線ファスナーカバー部４２によって覆われている。従って、下腿部５は、外部に露出しないので、絶縁性が確保される。
【００４１】
以上のように、第１実施形態の靴カバー１０によれば、以下に示す各効果が奏される。
第１実施形態に係る靴カバー１０は、安全靴１を挿抜可能な第１開口部２２を有し安全靴１を覆う第１カバー部２０と、安全靴１及び下腿部５を挿抜可能な第２開口部３１を上端部に有し下腿部５を覆う第２カバー部３０と、第２カバー部２０の外側部を開閉する線ファスナー４０とを備え、第１カバー部２０、第２カバー部及び線ファスナー４０は、電気絶縁性を有する。そのため、安全靴１を履いた状態で、第１カバー部２０及び第２カバー部３０により、安全靴１及び着用者の下腿部５を容易に覆って絶縁性を確保することができる。
【００４２】
また、靴カバー１０の線ファスナー４０を開いて、第２開口部３１を広げることができる。そのため、着用者が安全靴１を履いた状態で、安全靴１を、第２開口部３１から靴カバー１０の内部に容易に挿入し、配置することができる。従って、電柱上であっても、安全靴１を履いた状態で靴カバー１０を容易に着脱することができる。
また、広がった第２開口部３１から、靴カバー１０の内部を容易に確認することができ、異物や傷等の有無を容易に確認することができる。
【００４３】
靴カバー１０の第１内側面部２０ａは、第１カバー部２０における第１内側面部２０ａ以外の部分よりも硬く形成されている。また、靴カバー１０の第２内側面部３０ａは、第２カバー部３０における第２内側面部３０ａ以外の部分よりも硬く形成されている。そのため、例えば、着用者が電柱上で作業する場合において、靴カバー１０の第１内側面部２０ａ及び第２内側面部３０ａが電柱に接触しても、この接触による衝撃や摩擦等が着用者に及ぶことを抑制することができる。
【００４４】
靴カバー１０の第２カバー部３０は、線ファスナーカバー部４２を備える。そのため、閉じられた線ファスナー４０が、破損等により線ファスナーカバー部４２の内側で開いたとしても、下腿部５は、線ファスナーカバー部４２によって覆われている。従って、下腿部５は、外部に露出しないので、絶縁性を確保することができる。
【００４５】
靴カバー１０の第１カバー部２０は、安全靴１の踵部４が係合可能な凹部２４を有する。そのため、安全靴１に靴カバー１０を着用したときに、踵部４が凹部２４に係合するので、踵部４が靴カバー１０の内部でずれにくくなり、安全靴１と靴カバー１０との一体性を確保することができる。
【００４６】
〔第２実施形態〕
次に、本発明の第２実施形態について図５を参照しながら説明する。図５は、本発明の第２実施形態の靴カバー５０を示す側面図である。図５に示すように、第２カバー部３０は、着用者の下腿部５と共に膝部７から膝部７の上部近傍までの大腿部６（大腿部６の一部）を覆うことができる構成となっている。「膝部」とは、着用者の膝部分をいう。「大腿部」とは、着用者の脚の付け根から膝部までの部分をいう。
靴カバー５０のその他の構成及び靴カバー５０の着用方法は、前記第１実施形態の場合と略同様であるので、説明を省略する。
【００４７】
以上のように、第２実施形態の靴カバー５０によれば、絶縁性を有する第２カバー部３０が、着用者の下腿部５と共に膝部７から膝部７の上部近傍までの大腿部６を覆うように構成されている。そのため、靴カバー５０の着用者の膝部７は、第２カバー部３０によって覆われる。従って、第２実施形態の靴カバー５０は、前記第１実施形態の場合と同様の効果を奏するほか、例えば、着用者が電柱上で作業する場合において、膝部７の屈伸時等に第２カバー部３０が電柱の導電部材に接触しても、着用者が膝部７から感電することを防止することができる。
【００４８】
以上、本発明の実施形態について説明したが、本発明は、前述した実施形態に制限されるものではなく、適宜変更が可能である。
前記第１実施形態及び前記第２実施形態においては、開閉部材として線ファスナー４０を用いているが、これに限定されない。例えば、開閉部材として、面ファスナー、ホック、ボタン等を用いてもよい。
【００４９】
また、前記第１実施形態及び前記第２実施形態においては、線ファスナー４０は、絶縁性を有しているが、これに限定されない。つまり、線ファスナー４０は、電気絶縁性を確保可能に構成されていればよい。例えば、線ファスナーカバー部４２等によって線ファスナー４０を覆うことにより、線ファスナー４０を外部に露出させないようにすることができれば、線ファスナー４０は、絶縁性を有していなくてもよい。
【００５０】
また、前記第１実施形態及び前記第２実施形態においては、第２カバー部３０は、線ファスナーカバー部４２を備えているが、これに限定されない。例えば、線ファスナー４０が絶縁性を有していれば、第２カバー部３０全体の絶縁性は確保されるので、第２カバー部３０は、線ファスナーカバー部４２を備えなくてもよい。
【００５１】
また、前記第２実施形態においては、第２カバー部３０が、着用者の下腿部５と共に膝部７から膝部７の上部近傍までの大腿部６を覆うように構成されているが、これに限定されない。例えば、第２カバー部３０が、着用者の下腿部５と共に大腿部６の略全部を覆うように構成されていてもよい。
【００５２】
また、前記第１実施形態及び前記第２実施形態においては、靴カバー１０，５０を着用する靴として、安全靴１を用いているが、安全靴１に限定されない。
【符号の説明】
【００５３】
１  安全靴（靴）
４  踵部
５  下腿部
６  大腿部
１０  靴カバー
２０  第１カバー部
２２  第１開口部
２４  凹部
３０  第２カバー部
３１  第２開口部
４０  線ファスナー（開閉部材）
４２  線ファスナーカバー部（開閉部材カバー部）
５０  靴カバー
【図１】
2011067490.tif 000003
【図２】
2011067490.tif 000004
【図３】
2011067490.tif 000005
【図４】
2011067490.tif 000006
【図５】
2011067490.tif 000007